(57)【要約】      （修正有）【課題】  盗難や犯罪を予防し、車の盗難防止用セキュリティをオプション化しコストダウンを考えた安全運転強制免許証システムおよび安全運転強制免許装置を提供する。【解決手段】  既存の運転免許証と、かかる運転免許証に装着される、車両走行日時、走行距離、走行時間、走行車格を自動記録すると共に、記録式運転免許証に違反や事故があった場合、公的機関の読取記録機で記録したデータを蓄積できる記録機とで構成される記録式運転免許証を挿入することにより、運転免許証の免許証ナンバー部と挿入日時を自動的に読取記録し、蓄積された車両走行日時、走行距離、走行時間、走行車格と違反歴、事故歴を分析し、グループ別に保存されている運転パターンを使用者にグループ別に注意を呼びかけ、使用者が確認ボタンを押すことによりエンジンを鍵にて始動できるようにすることを特徴とした安全運転強制免許証システム。【選択図】    図１
2006273301.tif 000002
【特許請求の範囲】
【請求項１】
既存の運転免許証と、かかる運転免許証に装着される、車両走行日時、走行距離、走行時間、走行車格を自動記録すると共に、記録式運転免許証に違反や事故があった場合、公的機関の読取記録機で記録したデータを蓄積できる記録機とで構成される記録式運転免許証を挿入することにより、運転免許証の免許証ナンバー部と挿入日時を自動的に読取記録し、蓄積された車両走行日時、走行距離、走行時間、走行車格と違反歴、事故歴を分析し、グループ別に保存されている運転パターンを、使用者にグループ別に注意を呼びかけ、使用者が確認ボタンを押すことによりエンジンを鍵にて始動できるようにすることを特徴とした安全運転強制免許証システム。
【請求項２】
前記読取記録機は、記録式運転免許証に違反や事故があった場合、記録した記録式運転免許のデータを分析し、免許証更新時保存封印させると共に、違反歴、事故歴を記録し封印させる請求項１記載の安全運転強制免許証システム。
【請求項３】
前記運転免許証の写真横に本人確認の指紋捺印をし、認識読取機の指紋読取センサーで読み取り、指紋確認センサーにて盗難防止のセキュリティーを行う請求項１及び２記載の安全運転強制免許証システム。
【請求項４】
既存の運転免許証と、かかる運転免許証に装着される、車両走行日時、走行距離、走行時間、走行車格を自動記録すると共に、記録式運転免許証に違反や事故があった場合、公的機関の読取記録機で記録したデータを蓄積できる記録機とで構成される記録式運転免許証と
該記録式運転免許証を挿入することにより、運転免許証の免許証ナンバー部と挿入日時を自動的に読取記録する記録部と、記録式運転免許証を挿入することにより蓄積された車両走行日時、走行距離、走行時間、走行車格、違反歴、事故歴を分析し、グループ別に保存されている運転パターンを、使用者にグループ別に注意を呼びかけ、使用者が確認ボタンを押すことで、エンジンを鍵にて始動できるようにする認識読取機と、で構成されることを特徴とする安全運転強制免許装置。
【請求項５】
前記読取記録機は、公的機関専用で使用されるものであって、記録式運転免許証に違反や事故があった場合、記録した記録式運転免許のデータを分析し、免許証更新時保存封印させると共に、違反歴、事故歴を記録し封印させることができる請求項４記載の安全運転強制免許装置。
【請求項６】
前記認識読取機に、カーナビゲーション等のＣＰＵ搭載の機器で運転パターンや運転パターン毎の注意事項を表示させ確認できるデータ表示部を設けた請求項４または５記載の安全運転強制免許装置。
【請求項７】
前記運転免許証に本人確認の指紋捺印を施す請求項４乃至６記載の安全運転強制免許装置。
【請求項８】
前記認識読取機に、運転免許証の指紋捺印により本人を確認する指紋読取センサーを設けた請求項７記載の安全運転強制免許装置。
【発明の詳細な説明】
【技術分野】
【０００１】  本発明は、一日も早く交通事故による被害者、加害者をなくすために早期実行できるシステムをコストを踏まえて提案し、無免許運転、免許不携帯、免停中の運転の完全排除、電子制御化される運転システムをいつも自分の技量、パターン、注意力等をアナログ的に確認して安全運転をするとの意思を車にも自分にも言い聞かせてから始動させる基本安全運転システムを強制し、現行免許証を圧着封印することで、本人確認のデジタル化を避け、データの改ざんや高セキュリティによるコストアップを避け、記録式運転免許証と認識読取機によるダブル日時使用記録により盗難や犯罪を予防し、車の盗難防止用セキュリティをオプション化しコストダウンを考えた安全運転強制免許証システムおよび安全運転強制免許装置に関する。
【背景技術】
【０００２】  従来、所有者か否かに拘わらず自動車が不当に運転されることを防止する自動車運行許可装置がある（例えば、特許文献１参照）。
上掲特許文献１の自動車運行許可装置は、運転許可情報内蔵型の運転免許証を運転許可情報読取り装置の免許挿入口に挿入し、キーボードによる暗証番号を入力すると、該読取り装置の比較判定部が、免許証の情報を読み取ると共に入力情報を読み取り、この情報を比較情報と比較し、それら情報が一致すると、読取り装置がエンジンの始動が可能にさせるので、運転者はエンジンキーをキー差込口に挿入すれば自動車を運転することができる。一致しないと、エンジンの始動が不可能となるので、エンジンキーではエンジンが始動しないことが記載されている。
【特許文献１】特開平０８−１６９３０４号公報（第１−２頁、図１、図２）
【発明の開示】
【発明が解決しようとする課題】
【０００３】  しかしながら、上掲特許文献１の自動車運行許可装置においては、エンジンを始動させるにあたり、キーボードに暗証番号を入力しなければならないという煩わしい手間を必要とした。また、暗証番号を間違えたり忘れたりした場合、車両を運転することができないという欠点があった。また、従来からの免許証が利用できないため、警察等による本人確認が困難になるという問題も残った。さらに、車両走行前に運転者自身に安全運転を自覚させるまでには得られなかった。【０００４】  そこで本発明は、上記した従来技術の問題点を解消し、一日も早く交通事故による被害者、加害者をなくすために早期実行できるシステムをコストを踏まえて提案し、無免許運転、免許不携帯、免停中の運転排除、電子制御化される運転システムをいつも自分の技量、パターン、注意力等をアナログ的に確認して安全運転をするとの意思を車にも自分にも言い聞かせてから始動させ、現行免許証を圧着封印することで、本人確認のデジタル化を避け、データの改ざんや高セキュリティによるコストアップを避けて、記録式運転免許証と認識読取機によるダブル日時使用記録により盗難や犯罪を予防し、車の盗難防止用セキュリティをオプション化しコストダウンを考えた安全運転強制免許証システムおよび安全運転強制免許装置を提供することにある。
【課題を解決するための手段】
【０００５】  上記課題を解決するために、本発明の安全運転強制免許証システムは、既存の運転免許証と、かかる運転免許証に装着される、車両走行日時、走行距離、走行時間、走行車格を自動記録すると共に、記録式運転免許証に違反や事故があった場合、公的機関の読取記録機で記録したデータを蓄積できる記録機とで構成される記録式運転免許証を挿入することにより、運転免許証の免許証ナンバー部と挿入日時を自動的に読取記録し、蓄積された車両走行日時、走行距離、走行時間、走行車格と違反歴、事故歴を分析し、グループ別に保存されている運転パターンを使用者にグループ別に注意を呼びかけ、使用者が確認ボタンを押すことによりエンジンを鍵にて始動できるようにした。また前記記読取記録機は、記録式運転免許証に違反や事故があった場合、記録した記録式運転免許のデータを分析し、免許証更新時保存封印させると共に、違反歴、事故歴を記録し封印する。さらに、前記運転免許証の写真横に本人確認の指紋捺印をし、認識読取機の指紋読取センサーで読み取り、指紋確認センサーで盗難防止のセキュリティーを行う。【０００６】  また本発明の安全運転強制免許証装置は、既存の運転免許証と、かかる運転免許証に装着される、車両走行日時、走行距離、走行時間、走行車格を自動記録すると共に、記録式運転免許証に違反や事故があった場合、公的機関の読取記録機で記録したデータを蓄積できる記録機とで構成される記録式運転免許証と
該記録式運転免許証を挿入することにより、運転免許証の免許証ナンバー部と挿入日時を自動的に読取記録する記録部と、記録式運転免許証を挿入することにより蓄積された車両走行日時、走行距離、走行時間、走行車格、違反歴、事故歴を分析し、グループ別に保存されている運転パターンを、使用者にグループ別に注意を呼びかけ、使用者が確認ボタンを押すことで、エンジンを鍵にて始動できるようにする認識読取機と、で構成されることを特徴とする。また前記読取記録機は、公的機関専用で使用されるものであって、記録式運転免許証に違反や事故があった場合、記録した記録式運転免許のデータを分析し、免許証更新時保存封印させると共に、違反歴、事故歴を記録し封印させる。さらに前記認識読取機に、カーナビゲーション等のＣＰＵ搭載の機器で運転パターンや運転パターン毎の注意事項を表示させるデータ表示部を設けた。また、前記運転免許証に本人確認の指紋捺印を施した。さらに、前記認識読取機に、運転免許証の指紋捺印により本人を確認する指紋読取センサーを設けた。
【発明の効果】
【０００７】  本発明の安全運転強制免許証システムおよび安全運転強制免許証装置によれば、既存の運転免許証と、かかる運転免許証に装着される、車両走行日時、走行距離、走行時間、走行車格を自動記録すると共に、記録式運転免許証に違反や事故があった場合、公的機関の読取記録機で記録したデータを蓄積できる記録機とで構成される記録式運転免許証を挿入することにより、運転免許証の免許証ナンバー部と挿入日時を自動的に読取記録し、蓄積された車両走行日時、走行距離、走行時間、走行車格と違反歴、事故歴を分析し、グループ別に保存されている運転パターンを使用者にグループ別に注意を呼びかけ、使用者が確認ボタンを押すことによりエンジンを鍵にて始動できるようにしたことで、一日も早く交通事故による被害者、加害者をなくすために早期実行できるシステムをコストを踏まえて提案し、無免許運転、免許不携帯、免停中の運転排除、電子制御化される運転システムをいつも自分の技量、パターン、注意力等をアナログ的に確認して安全運転をするとの意思を車にも自分にも言い聞かせてから始動させることができる。また、現行免許証を圧着封印することで、本人確認のデジタル化を避け、データの改ざんや高セキュリティによるコストアップを避け、記録式運転免許証と認識読取機によるダブル日時使用記録により盗難や犯罪を予防をし、車の盗難防止用セキュリティをオプション化しコストダウンを実現することができる。さらに、運転免許証に本人確認の指紋捺印を施すと共に、認識読取機に運転免許証の指紋捺印により本人を確認する指紋読取センサーを設けたことで、盗難防止のセキュリティーを高めることができる。
【発明を実施するための最良の手段】
【０００８】  以下、本発明における安全運転強制免許証システムおよび安全運転強制免許証装置の実施の形態を図面に基づいて説明する。
先ず、本発明の安全運転強制免許証装置を図１乃至図３に基づいて説明する。安全運転強制免許証装置１は、既存の運転免許証２と、かかる運転免許証２に装着される、車両走行日時、走行距離、走行時間、走行車格を自動記録すると共に、記録式運転免許証に違反や事故があった場合、後述詳細の公的機関の読取記録機で記録したデータを蓄積できる記録機３とで構成される記録式運転免許証４と、該記録式運転免許証４を挿入することにより、運転免許証の免許証ナンバー部１１と挿入日時を自動的に読取記録する記録部６と、記録式運転免許証４を挿入することにより蓄積された車両走行日時、走行距離、走行時間、走行車格、違反歴、事故歴を分析し、グループ別に保存されている運転パターンを、使用者にグループ別に注意を呼びかけ、使用者が確認ボタン１０を押すことで、エンジンＢを鍵Ａにて始動できるようにする認識読取機５とで構成されている。
【０００９】  前記記録機３は小型ハードディスクとＣＰＵアプリケーションからなる。前記記録機３は、車両からのデータ、例えば車両走行日時、走行距離、走行時間、走行車格を自動記録すると共に、記録式運転免許証４に違反や事故があった場合、後述詳細の公的機関の読取記録機で記録したデータを蓄積できるものである。なお、前記運転免許証２と記録機３とは、運転履歴等のデータが改ざんできないように圧着、封印されている。
【００１０】  記録部６は、記録式運転免許証４を認識読取機５に挿入することにより、運転免許証２の免許証ナンバー部１１と挿入日時を自動的に読取記録するもので、認識読取機５の内部に装着されている。また前記認識読取機５は、記録式運転免許証４を挿入することにより、蓄積された車両走行日時、走行距離、走行時間、走行車格と違反歴、事故歴を分析し、グループ別に保存されている運転パターンを、小型スピーカー１６にて使用者にグループ別に注意を呼びかけ、使用者が確認ボタン１０を押すことで、エンジンＢを鍵Ａにて始動できる特性を有する。そのことにより、無免許運転、免許不携帯、免停中の運転排除、電子制御化される運転システムをいつも自分の技量、パターン、注意力等をアナログ的に確認して安全運転をするとの意思を車にも自分にも言い聞かせてから始動させることができる。なお、前記認識読取機５には記録式運転免許証４を取出す取出ボタン１５が具備されている。
【００１１】  また図３に示す読取記録機８は、前記記録式運転免許証４に装着されるもので、前記読取記録機８は、公的機関（警察や交通安全協会等）で専用に使用されるものであって、記録式運転免許証４に違反や事故があった場合、記録した記録式運転免許証４のデータを分析し、免許証更新時保存封印させると共に、違反歴、事故歴を記録し封印させることができるものである。
【００１２】  また他の好適例として、前記認識読取機５に、カーナビゲーション等のＣＰＵ搭載の機器で運転パターンや運転パターン毎の注意事項を表示させ確認できるデータ表示部７を設けた。かかるデータ表示部７は、例えば記録機３に入力されている運転免許取得からの年数、違反経歴、事故経歴、走行日時、走行距離、車格、走行分の違反率、走行分の事故率、更新期間分の走行距離、平均車速度、運転パターングループ等のデータを、カーナビゲーション９にて音声と視覚との両面で認識させることができるものである。
【００１３】  また他の好適例として、前記運転免許証２の写真横に本人確認の指紋捺印１２を施すことが好ましい。さらに、前記認識読取機５に、前記指紋捺印１２により本人を確認する指紋読取センサー１３を設けることが好ましい。そのことにより、記録式運転免許証４を挿入することにより、指紋読取センサー１３で指紋捺印１２を読み取り、指紋確認センサー１４にて確認することで、指紋においても本人の確認ができ盗難防止のセキュリティーをより一層高めることができる
【００１４】  次に、本発明の安全運転強制免許証システムについて説明する。電子運転システムは、既存の運転免許証と、かかる運転免許証に装着される、車両走行日時、走行距離、走行時間、走行車格を自動記録すると共に、記録式運転免許証に違反や事故があった場合、公的機関の読取記録機で記録したデータを蓄積できる記録機とで構成される記録式運転免許証を挿入することにより、運転免許証の免許証ナンバー部と挿入日時を自動的に読取記録し、蓄積された車両走行日時、走行距離、走行時間、走行車格と違反歴、事故歴を分析し、グループ別に保存されている運転パターンを使用者にグループ別に注意を呼びかけ、使用者が確認ボタンを押すことによりエンジンを鍵にて始動できることを特徴とする。
【００１５】  前記安全運転強制免許証システムは、図４のフローチャートに示すように、車両を運転する際、先ず記録式運転免許証を認識読取装置に挿入する。挿入すると、認識読取装置の小型スピーカーから音声にて運転パターンが表示され、使用者は自分がどのパターンか確認できる。なお、運転パターンとしては、乱暴運転、急ぎ過ぎ運転、低速運転、安らぎ運転、優良運転等のグループがあり、それぞれが１〜５の段階に識別されている。使用者は運転パターンを確認した後、確認ボタンを押し、通常のように鍵を操作しエンジンを始動させる。
【００１６】  走行中においては、読取機にて走行時間、距離、平均車速が記録される。この際、カーナビゲーションにて音声と視覚との両面で自己の運転レベルを認識することもできる。走行を停止しエンジンを止めると自動的に記録が停止される。また取出ボタンを押すことで記録式運転免許証が排出され、小型スピーカーからの音声にて抜き忘れのメッセージが表示される。
【００１７】  上述の安全運転強制免許証システムにより、一日も早く交通事故による被害者、加害者をなくすために早期実行できるシステムをコストを踏まえて提案できると共に、無免許運転、免許不携帯、免停中の運転排除、電子制御化される運転システムをいつも自分の技量、パターン、注意力等をアナログ的に確認して安全運転をするとの意思を車にも自分にも言い聞かせてから始動させることができる。また、現行免許証を圧着封印することで、本人確認のデジタル化を避け、データの改ざんや高セキュリティによるコストアップを避け、記録式運転免許証と認識読取機によるダブル日時使用記録により盗難や犯罪を予防し、車の盗難防止用セキュリティをオプション化しコストダウンを実現することができる。さらに、運転免許証に本人確認の指紋捺印を施すと共に、認識読取機に本人を確認する指紋読取センサーを設けたことで、運転免許証の指紋捺印にて本人の確認が高まり、盗難防止のセキュリティーを行うことができる。
【図面の簡単な説明】
【００１８】
【図１】本発明による安全運転強制免許証装置の全体図である。
【図２】前記安全運転強制免許証装置の断面図である。
【図３】記録式運転免許証に読取記録機を装着した状態を示す。
【図４】本発明による安全運転強制免許証システムを示すフローチャートである。
【符号の説明】
【００１９】１    安全運転強制免許証装置
２    運転免許証
３    記録機
４    記録式運転免許証
５    認識読取機
６    記録部
７    データ表示部
８    読取記録機
９    カーナビゲーション
１０  確認ボタン
１１  免許証ナンバー部
１２  指紋捺印
１３  指紋読取センサー
１４  指紋確認センサー
１５  取出ボタン
１６  小型スピーカー
Ａ    鍵
Ｂ    エンジン
【図１】
2006273301.tif 000003
【図２】
2006273301.tif 000004
【図３】
2006273301.tif 000005
【図４】
2006273301.tif 000006